【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
台座に取り付けられた患者支持パネルに延長パネルを解除可能に連結する継手アセンブリであって、
前記患者支持パネルは第１平面を形成し、前記延長パネルは第２平面を形成し、
前記継手アセンブリが第１本体部材および第２本体部材を具備し、
前記第１本体部材および前記第２本体部材のうちの一方が、前記患者支持パネルに固定されるように構成され、前記第１本体部材および前記第２本体部材のうちの他方が、前記延長パネルに固定されるように構成され、
前記第１本体部材が、アクチュエータサブアセンブリと、突起、第１係止部材、および、第１凹部を備える下面を有する張出しを含む枠とを備え、
前記第２本体部材が、可動のラッチと少なくとも１つのタブ部材および第２係止部材を含む枠とを備え、
前記延長パネルが固定された前記第２本体部材が、前記第１本体部材と係合するように構成され、それにより、前記第１及び第２平面は互いに対して鈍角をなして延び、前記第２本体部材は、第１及び第２係止部材の間の隣接係合の間に第１本体部材に関して枢動するように構成され、それにより、前記第１及び第２本体部材が合わせて係止される時に前記第１及び第２平面は互いに平行に配置され、
前記少なくとも１つのタブ部材の一部が前記第１凹部内に解除可能に受け入れられ、前記第１係止部材および前記第２係止部材が、互いに係合して、前記第１本体部材および前記第２本体部材を合わせて係止し、前記患者支持パネルに対する前記延長パネルの下方の移動を防止し、前記第２本体部材の前記ラッチが、前記第１本体部材の前記突起と係合して、前記第１本体部材および前記第２本体部材を合わせて係止し、それにより、前記患者支持パネルに対する前記延長パネルの上方の移動を防止する、継手アセンブリ。
【請求項２】
前記第１本体部材および前記第２本体部材が互いに連結されるとき、前記継手アセンブリは、重量および前記第２本体部材に対する下向きの圧力により、自己整合し、自己水平化し、即座に安定しかつ自動的に係止する、請求項１に記載の継手アセンブリ。
【請求項３】
前記アクチュエータサブアセンブリは手動で動作可能なボタンを備え、そのボタンの動作位置は、前記継手が係止されているかまたは係止解除されていることを視覚的に示す、請求項１に記載の継手アセンブリ。
【請求項４】
前記アクチュエータサブアセンブリは、前記ラッチを前記突起との係合から解除するように前記ラッチを移動させるように構成され、それにより、前記延長パネルが固定された前記第２本体部材を、前記第１本体部材に対して上方に傾斜させ、前記少なくとも１つのタブ部材の前記部分を前記凹部から解放し、前記第１係止部材および前記第２係止部材を互いから係合解除し、それにより前記第１本体部材および前記第２本体部材を互いから係止解除する、請求項１に記載の継手アセンブリ。
【請求項５】
台座に取り付けられた患者支持パネルに延長パネルを解除可能に連結する継手アセンブリであって、
前記患者支持パネルは第１平面を形成し、前記延長パネルは第２平面を形成し、
前記継手アセンブリが第１本体部材および第２本体部材を具備し、
前記第１本体部材および前記第２本体部材のうちの一方が、前記患者支持パネルに固定されるように構成され、前記第１本体部材および前記第２本体部材のうちの他方が、前記延長パネルに固定されるように構成され、
前記第１本体部材が、アクチュエータサブアセンブリと、突起、第１係止部材、および、第１凹部を備える下面を有する張出しを含む枠とを備え、
前記第２本体部材が、可動のラッチと少なくとも１つのタブ部材および第２係止部材を含む枠とを備え、
前記延長パネルが固定された前記第２本体部材が、前記第１本体部材と係合するように構成され、それにより、前記第１及び第２平面は互いに対して鈍角をなして延び、前記第２本体部材は、第１本体部材に関して枢動するように構成され、それにより、前記第１及び第２平面は互いに平行に配置され、
前記少なくとも１つのタブ部材の一部が前記第１凹部内に解除可能に受け入れられ、前記第１係止部材および前記第２係止部材が、互いに係合して、前記第１本体部材および前記第２本体部材を合わせて係止して、前記患者支持パネルに対する前記延長パネルの下方の移動を防止し、前記第２本体部材の前記ラッチが、前記第１本体部材の前記突起と係合して、前記第１本体部材および前記第２本体部材を合わせて係止し、それにより、前記患者支持パネルに対する前記延長パネルの上方の移動を防止し、
前記第１係止部材がボスを備え、前記第２係止部材が、前記ボスを解除可能に受け入れる凹部を備える、継手アセンブリ。
【請求項６】
前記可動のラッチは、軸を中心に第１回転可能方向に枢動して、前記第１本体部材の前記突起と解除可能に係合するように構成されている、請求項１に記載の継手アセンブリ。
【請求項７】
前記ラッチは、常にはばねによって前記第１回転方向に付勢されている、請求項６に記載の継手アセンブリ。
【請求項８】
台座に取り付けられた患者支持パネルに延長パネルを解除可能に連結する継手アセンブリであって、
前記患者支持パネルは第１平面を形成し、前記延長パネルは第２平面を形成し、
前記継手アセンブリが第１本体部材および第２本体部材を具備し、
前記第１本体部材および前記第２本体部材のうちの一方が、前記患者支持パネルに固定されるように構成され、前記第１本体部材および前記第２本体部材のうちの他方が、前記延長パネルに固定されるように構成され、
前記第１本体部材が、アクチュエータサブアセンブリと、突起、第１係止部材、および、第１凹部を備える下面を有する張出しを含む枠とを備え、
前記第２本体部材が、可動のラッチと少なくとも１つのタブ部材および第２係止部材を含む枠とを備え、
前記延長パネルが固定された前記第２本体部材が、前記第１本体部材と係合するように構成され、それにより、前記第１及び第２平面は互いに対して鈍角をなして延び、前記第２本体部材は、第１本体部材に関して枢動するように構成され、それにより、前記第１及び第２平面は互いに平行に配置され、
前記少なくとも１つのタブ部材の一部が前記第１凹部内に解除可能に受け入れられ、前記第１係止部材および前記第２係止部材が互いに係合し、前記第１本体部材および前記第２本体部材を合わせて係止して、前記患者支持パネルに対する前記延長パネルの下方の移動を防止し、前記第２本体部材の前記ラッチが、前記第１本体部材の前記突起と係合して、前記第１本体部材および前記第２本体部材を合わせて係止し、それにより、前記患者支持パネルに対する前記延長パネルの上方の移動を防止し、
前記可動のラッチは、軸を中心に第１回転可能方向に枢動して、前記第１本体部材の前記突起と解除可能に係合するように構成され、前記ラッチは、常にはばねによって前記第１回転方向に付勢され、
前記アクチュエータサブアセンブリは、前記ラッチと係合する伸長位置まで移動して、前記ラッチを前記第１回転方向とは反対の第２回転方向に前記軸を中心に枢動させ、前記ラッチを前記第１本体部材の前記突起との係合から解除するように構成された自由端を有するレバーを備える、継手アセンブリ。
【請求項９】
前記アクチュエータサブアセンブリは、前記レバーに結合された枢動可能なボタンを備え、前記ボタンは、前記ボタンの第１箇所で押下された時に前記ボタンを第１回転方向に枢動させて前記レバーを前記伸長位置まで移動させるように構成された、請求項８に記載の継手アセンブリ。
【請求項１０】
前記フックからの前記突起の前記解除により、前記延長パネルが固定された前記第２本体部材が、前記第１本体部材に対して上方に傾斜して、前記少なくとも１つのタブ部材の前記部分を前記凹部から解放し、かつ前記第１係止部材および前記第２係止部材が互いから係合解除するようにし、それにより、前記第１本体部材および前記第２本体部材を互いから係止解除することができ、それにより、前記延長パネルが固定された前記第２本体部材を取り外すことができる、請求項９に記載の継手アセンブリ。
【請求項１１】
前記ボタンは、常には前記ボタンを第２回転方向に枢動させるようにばねによって付勢され、前記第２回転方向が前記第１回転方向とは反対である、請求項１０に記載の継手アセンブリ。
【請求項１２】
前記レバーの前記自由端は、前記レバーを前記伸長位置で保持している時に前記突起の対応した形状の表面と係合するように構成された表面を含む、請求項１１に記載の継手アセンブリ。
【請求項１３】
前記伸長位置で前記レバーに当接している前記ラッチは、前記レバーの前記表面を、前記ばねによって提供される前記ボタンに提供された付勢に抗して前記突起の前記対応した形状の表面と係合した状態で保持する、請求項１２に記載の継手アセンブリ。
【請求項１４】
前記ラッチは、前記レバーを圧迫しない位置まで移動するように構成され、前記ボタンを付勢する前記ばねにより、前記レバーの前記表面が前記突起の前記対応した形状の表面から係合解除され、その時に、前記レバーは後退位置まで移動する、請求項１２に記載の継手アセンブリ。
【請求項１５】
請求項１に記載の前記継手アセンブリと、前記患者支持パネルと、前記延長パネルとを具備する患者支持台。
【請求項１６】
前記患者支持台は放射線治療用治療台である、請求項１５に記載の患者支持台。
【請求項１７】
前記患者支持パネルは、前記患者支持パネルが前記台座に固定されることを可能にする少なくとも１つの構成要素を含む、請求項１６に記載の患者支持台。
【請求項１８】
前記患者支持パネルおよび前記延長パネルが、各々、炭素複合材から形成されている、請求項１６に記載の患者支持台。
【請求項１９】
前記患者支持パネルおよび前記延長パネルが、各々、炭素複合材から形成されている請求項１７に記載の患者支持パネル。
【請求項２０】
前記アクチュエータアセンブリは手動で動作可能なボタンを備え、そのボタンの動作位置が、前記継手が係止されているかまたは係止解除されていることを視覚的に示す、請求項１６に記載の患者支持台。
【請求項２１】
台座に取り付けられた患者支持パネルに延長パネルを解除可能に連結する継手アセンブリ連結装置であって、
前記患者支持パネルは第１平面を形成し、前記延長パネルは第２平面を形成し、
前記継手アセンブリ連結装置が第１本体部材および第２本体部材を具備し、
前記第１本体部材および前記第２本体部材のうちの一方が、前記患者支持パネルに固定されるように構成され、前記第１本体部材および前記第２本体部材のうちの他方が、前記延長パネルに固定されるように構成され、
前記第１本体部材が、アクチュエータサブアセンブリと、突起、第１係止部材、および、第１凹部を備える下面を有する張出しを含む枠とを備え、
前記第２本体部材が、可動のラッチと少なくとも１つのタブ部材および第２係止部材を含む枠とを備え、
前記延長パネルが固定された前記第２本体部材が、前記第１本体部材と係合するように構成され、それにより、前記第１及び第２平面は互いに対して鈍角をなして延び、前記第２本体部材は、第１及び第２係止部材の間の隣接係合の間に第１本体部材に関して枢動するように構成され、それにより、前記第１及び第２本体部材が合わせて係止される時に前記第１及び第２平面は互いに平行に配置され、
前記少なくとも１つのタブ部材の一部が前記第１凹部内に解除可能に受け入れられ、前記第１係止部材および前記第２係止部材が、互いに係合して、前記第１本体部材および前記第２本体部材を合わせて係止し、前記患者支持パネルに対する前記延長パネルの下方の移動を防止し、前記第２本体部材の前記ラッチが、前記第１本体部材の前記突起と係合して、前記第１本体部材および前記第２本体部材を合わせて係止し、それにより、前記患者支持パネルに対する前記延長パネルの上方の移動を防止する、継手アセンブリ連結装置。
【請求項２２】
前記第１本体部材は前記患者支持パネルに連結され、前記第２本体部材は前記延長パネルに連結される請求項２１に記載の継手アセンブリ連結装置。
【請求項２３】
前記第２本体部材は前記患者支持パネルに連結され、前記第１本体部材は前記延長パネルに連結される請求項２１に記載の継手アセンブリ連結装置。